(57)【要約】【課題】再生装置の蓄積媒体に蓄積されたコンテンツを再生するか、しないかの制御を蓄積媒体に蓄積された情報に基づいて任意に行うことができない。【解決手段】コンテンツを蓄積するコンテンツ蓄積部およびコンテンツを再生する条件である再生条件を蓄積する条件蓄積部を有する蓄積媒体１０１と、前記コンテンツ蓄積部１０３に蓄積されているコンテンツを再生する再生部１０５、および属性情報を取得する属性取得部１０６、および前記条件蓄積部１０４に蓄積している再生条件を取得する条件取得部１０７、および前記属性取得部１０６の取得した属性情報が前記条件取得部１０７の取得した再生条件に合致するか否かを判断する条件判断部１０９、および前記条件判断部１０９が再生条件に合致すると判断した場合に、前記再生部１０５にコンテンツを再生することを指示する再生制御部１０８を有する再生装置１０２とを具備するコンテンツ再生システム１００とする。【選択図】図１
2005018980.tif 000002
【特許請求の範囲】
【請求項１】
コンテンツを蓄積するコンテンツ蓄積部、およびコンテンツを再生する条件である再生条件を蓄積する条件蓄積部を有する蓄積媒体と、前記コンテンツ蓄積部に蓄積されているコンテンツを再生する再生部、および属性情報を取得する属性取得部、および前記条件蓄積部に蓄積している再生条件を取得する条件取得部、および前記属性取得部の取得した属性情報が前記条件取得部の取得した再生条件に合致するか否かを判断する条件判断部および前記条件判断部が再生条件に合致すると判断した場合に、前記再生部にコンテンツを再生することを指示する再生制御部を有する再生装置とを具備するコンテンツ再生システム。
【請求項２】
コンテンツを再生する命令である再生命令を受け付ける命令受付部をさらに具備し、前記命令受付部が命令を受け付けた場合に、前記属性取得部が属性情報を取得し、前記条件取得部が再生条件を取得し、前記条件判断部が前記判断を行うことを特徴とする請求項１記載のコンテンツ再生システム。
【請求項３】
前記属性情報が前記再生装置を識別する再生装置識別子であり、前記再生条件がコンテンツの再生を許す再生装置識別子と前記属性情報が一致するか否かであることを特徴とする請求項１または請求項２いずれか記載のコンテンツ再生システム。
【請求項４】
前記条件判断部が時計を保持し、前記属性情報が時刻であり、前記再生条件が、前記属性情報である時刻がコンテンツの再生を許す時間帯または時刻か否かであることを特徴とする請求項１または請求項２いずれか記載のコンテンツ再生システム。
【請求項５】
請求項１から請求項４いずれか記載のコンテンツ再生システムを構成する再生装置。
【請求項６】
請求項１から請求項４いずれか記載のコンテンツ再生システムを構成する蓄積媒体。
【請求項７】
コンテンツとコンテンツを再生する条件である再生条件が蓄積された蓄積媒体を再生するコンテンツ再生方法であって、属性情報を取得するステップと、再生条件を取得するステップと、前記属性情報を取得するステップで取得した属性情報が前記再生条件を取得するステップで取得した再生条件に合致するか否かを判断する条件判断ステップと、前記条件判断ステップで属性情報が再生条件に合致すると判断された場合に、コンテンツを再生するステップとを具備するコンテンツ再生方法。
【請求項８】
コンテンツとコンテンツを再生する条件である再生条件が蓄積された蓄積媒体を再生するためのプログラムを記録した記録媒体であって、属性情報を取得する手順と、再生条件を取得する手順と、前記属性情報を取得する手順で取得した属性情報が前記再生条件を取得する手順で取得した再生条件に合致するか否かを判断する条件判断手順と、前記条件判断手順で属性情報が再生条件に合致すると判断された場合に、コンテンツを再生する手順とを実行するためのプログラムをコンピュータ読み取り可能に記録した記録媒体。
【発明の詳細な説明】
【背景技術】
【０００１】
従来、蓄積媒体に蓄積された映画、音楽、番組、などのコンテンツを再生できるか再生できないかは、その蓄積媒体に蓄積された信号を再生装置が再生可能に読み取れるか読み取れないかで決まり、再生装置が再生可能に読み取れるのにも係わらず、これを再生しないという制御をすることはできなかった。
【０００２】
また、有料のコンテンツ配信は、コンテンツの内容自体によってのみ対価が定められ、そのコンテンツを視聴する再生装置の違いによって対価を変化させるということはできなかった。
【発明の開示】
【発明が解決しようとする課題】
【０００３】
蓄積媒体に蓄積されたコンテンツを再生するか、しないかの制御を蓄積媒体に蓄積された情報に基づいて任意に行うことができないので、種々の再生装置に対するコンテンツ配信サービスの多様化が困難である。また、従来は、コンテンツの内容自体によってのみそのコンテンツの視聴の対価が定められたので、上記の多様化したサービスが可能となってもその課金を多様化することができなかった。
【課題を解決するための手段】
【０００４】
まず、蓄積媒体に蓄積されたコンテンツを再生装置で再生するか、しないかの制御を任意に行うための手段として、蓄積媒体に再生の対象となるコンテンツのみならず、再生の条件である再生条件をも蓄積しておく。そして、再生装置においては、再生装置がこの条件判断の要素となる属性情報が再生条件に合致するか判断する。この判断の結果、属性情報が再生条件により再生を許されるものである場合には再生が可能となり、属性情報が再生条件により再生を許されないものである場合には再生を不可能とする再生システムとする。
【０００５】
また、上記課金の多様化の手段として、蓄積媒体に、再生の対象となるコンテンツのみならず、再生装置が有している再生についての属性情報に応じた課金料の算出式を蓄積しておき、再生についての属性情報に応じて課金料を定めることで課金の多様化を可能とする再生システムとする。
【発明の効果】
【０００６】
この発明によると、蓄積媒体にコンテンツのみならず、コンテンツを再生するための条件を定める再生条件を蓄積し、これをコンテンツ再生を行う再生装置において読み取り、再生の制御をするようにしたので、蓄積媒体に蓄積されたコンテンツを再生するか、しないかの制御を蓄積媒体に蓄積された情報に基づいて任意に行うことができる。また、蓄積媒体に課金料蓄積部を設け、課金料算出情報を蓄積して、コンテンツの再生を行う再生装置においてこれを読み取り課金料の算出に利用できるようにしたので、多様化するサービスに対する課金を多様化することができる。
【発明を実施するための最良の形態】
【０００７】
上記に述べたように、この発明は、再生装置が取得する属性情報に応じてコンテンツの再生を可能とする実施の形態と、属性情報に応じて課金の多様化を可能とする実施の形態とに大きく分けることができる。以下に、この順番に従って発明の実施の形態を説明する。なお、以下に説明するのはあくまでも一例としての実施の形態であって、この発明がこれから説明する実施の形態によって狭く限定する理由となるものではない。
【０００８】
（実施の形態１）まず、属性情報に応じてコンテンツの再生を可能とする実施の形態についてである。便宜上この明細書において、実施の形態１と称する。この発明は図２に示すようなコンテンツの利用形態のなかで実施される発明である。まず、受信システム２０１によりコンテンツが受信され、コンテンツ再生システム２０２の蓄積媒体２０４に蓄えられる。この受信システムは、インターネット、ＣＡＴＶ、電話線、地上波、衛星波などによりコンテンツを受信するが、必ずしもこれらにかぎられず、ＣＤ、ＤＶＤ、ＣＤ−ＲＷ、ビデオテープなどによってコンテンツを取得するものも受信に含む。
【０００９】
そして、受信したコンテンツはコンテンツ再生システム２０２の蓄積媒体２０４に蓄積される。場合によっては、受信システム２０１と、コンテンツ再生システム２０２の区別が無く、ＣＤ、ＤＶＤ、ＣＤ−ＲＷ、ビデオテープなどがそのままコンテンツ再生システム２０２の蓄積媒体２０４となる場合もある。コンテンツ再生システム２０２の再生装置２０５により再生が行われ、場合によっては課金料の算定などが行われて、送信システム２０３によってその結果が課金センターなどに送られる。また、この送信システム２０３は、コンテンツの配信をするセンター側に対してコンテンツの送信要求なども行う。なお必ずしも通信線でつながっていなくても良い点については受信システム２０１の場合と同じである。
【００１０】
さて、本件発明の対象はこのうちのコンテンツ再生システム２０２である。この図にあるようにコンテンツ再生システム２０２は蓄積媒体２０４と再生装置２０５とからなる。そして、この蓄積媒体２０４はコンテンツ再生システム２０２に対して取り外し不可能なものでも、取り外し可能なものでも良い。
【００１１】
取り外し可能とは、可搬性があり、他のコンテンツ再生システムに挿入するなどして、別のコンテンツ再生システムにおいて、蓄積媒体に蓄積されたコンテンツの再生が可能となるようなものである。これを示すのが図３である。この図にあるように、コンテンツ再生システムである、テレビ３０１に配置されていた蓄積媒体３０２は、取り外されて、別のコンテンツ再生システムであるセットトップボックス３０３や、カーナビゲーションシステム（カーナビ）３０４、パーソナルコンピュータ（ＰＣ）３０５、別のテレビ３０６、プロジェクションテレビ３０７において再生装置とつなぐことができる。
【００１２】
さて、コンテンツの内容がそれぞれの再生装置によって再生可能となるかどうかを以下に説明する。本発明のコンテンツ再生システムの機能ブロックを示すのが図１である。図１に示すように、本発明のコンテンツ再生システム１００は、蓄積媒体１０１と再生装置１０２とからなる。蓄積媒体１０１とは、ハードディスクドライブ（以下「ＨＤＤ」という。）のようなものや、ランダムアクセスメモリー（以下「ＲＡＭ」という。）、リードオンリーメモリー（以下「ＲＯＭ」という。）、ＤＶＤ、ＣＤ、ＣＤ−ＲＷ、ビデオテープ、フロッピィーディスク、その他各種の記憶媒体を構成要素とする。再生装置１０２は、蓄積媒体１０１に蓄積されたコンテンツの内容を再生する機能を有し、蓄積媒体１０１に含まれる信号を画像信号、音声信号、データ信号などにして視聴可能とする。ディスプレイやスピーカーを含む構成でも、含まない構成でも良い。また、再生装置１０２は、蓄積媒体１０１に含まれているコンテンツの再生可否の判断をも行う。
【００１３】
図１を用いて本発明の実施の形態を説明する。蓄積媒体１０１はさらにコンテンツ蓄積部１０３と条件蓄積部１０４を有する。また、再生装置１０２は、再生部１０５、属性取得部１０６、条件取得部１０７、条件判断部１０９、再生制御部１０８を有する。蓄積媒体１０１のコンテンツ蓄積部１０３は、コンテンツを蓄積する。コンテンツとは前述のように、映画、音楽、番組、データなどを内容とする。また、場合によっては、アンケート、投票を行わせるためのものであったり、宣伝広告や、宣伝広告のためのホームページが格納されているサーバ装置へ通信をするためのプログラムであったりする。
【００１４】
また、蓄積媒体１０１の条件蓄積部１０４はコンテンツの再生条件を蓄積している。再生条件とは、再生を許可する時間の長さ、時刻、時間帯、再生を許可する装置の種類、装置のメーカー、再生を許可する装置のおかれている部屋などがある。また、再生装置の置かれている地方、地域、国などを条件とすることもでき、この場合には通信回線につながれた端末を識別する識別符号や、電話番号で判断できる。また、装置の所有者、配信のための契約状況、その装置の所有者の家族構成、年齢、性別、その日の天候、気温、湿度、などにより再生の許可、拒否を制御するための情報である。年令、性別に関して成人にのみ視聴を許可する番組や、女性にのみ視聴を許可する番組などがあるからである。また、その日の天候などにより例えば、屋外の遊園地に関する情報の視聴を許可したり、山登りに関する案内情報を許可しなかったりする。
【００１５】
再生装置１０２の再生部１０５は、蓄積媒体１０１のコンテンツを再生するための機能を有する。これは、コンテンツ蓄積部１０３から得た信号を映像信号、音声信号に変換し、ディスプレイやスピーカーから出力して視聴可能とする。再生装置１０２の属性取得部１０６は属性を取得する。属性とは、前述の再生条件を満たすか満たさないかを判断する対象となる要素である。即ち、再生を要求する時間の長さ、時刻、時間帯、再生を要求する装置の種類、装置のメーカー、装置のおかれている部屋、地方、地域、国、装置の所有者、配信のための契約状況、その装置の所有者の家族構成、年齢、性別、その日の天候、気温、湿度、などの情報である。属性の取得は再生装置自体に予め記憶している属性を取得する場合の他、視聴者がそのコンテンツを再生するために入力するなどして与えるものや、受信システムを介して取得するものなどがある。
【００１６】
属性取得部１０６をさらに詳しく説明したのが図４である。図４に示すように属性取得部４００はさらに属性受信手段４０１、属性保持手段４０２、属性情報送出制御手段４０３、属性情報送出手段４０４からなっている。属性受信手段４０１は、再生装置に保持されている属性情報を受信したり、視聴者が入力する属性情報を受け付けたり、通信回線などを通じてコンテンツ再生システムにつながって受信システムが受信した属性情報を取得する。属性受信手段４０１が受信した属性情報は属性保持手段４０２にいったん保持され、属性情報送出制御手段４０３からの制御命令によって属性情報送出手段４０４から送出される。
【００１７】
図１に示すように、再生装置１０２の条件取得部１０７は、コンテンツ再生システム１００の蓄積媒体１０１から再生条件を取得する。再生装置１０２の条件判断部１０９は属性取得部１０６から属性情報を取得し、また、条件取得部１０７から再生条件を取得し、取得した属性情報が再生条件により許容されるかを判断する。許容されると判断された場合には再生制御部１０８に再生のための信号を送り、許容されないと判断した場合には再生制御部１０８には再生のための信号を送らないか、または再生が既に行われている場合にはその再生を中止するために必要な信号を送る。再生制御部１０８は条件判断部１０９からの再生制御の信号を受けて、その信号に従って再生部１０５の再生を制御する。
【００１８】
この制御の流れを図でもって示すのが図５、図６、図７である。図５はコンテンツ再生システムＡ（５００）から蓄積媒体をコンテンツ再生システムＢ（５０１）に移し替えた様子を示すものである。コンテンツ再生システムＡ（５００）においては、蓄積媒体０１（５０２）と再生装置５０３があり、蓄積媒体０１（５０２）にはコンテンツ蓄積部５０６にコンテンツＣ１が蓄積されており、蓄積媒体０１（５０２）の条件蓄積部５０７には再生条件の情報として、再生装置５０３の属性取得部５０８から与えられる属性情報がＡＡかＢＢである場合に再生を認めることを内容とする情報が記録されている。
【００１９】
コンテンツ再生システムＡ（５００）においては、再生装置５０３の属性取得部５０８が取得した属性は属性ＡＡなので、コンテンツＣ１の再生は行われる。そして、このコンテンツＣ１を含む蓄積媒体０１（５０２）をコンテンツ再生システムＢ（５０１）に移し替えて、コンテンツ再生システムＢ（５０１）を蓄積媒体０１（５０４）と予めコンテンツ再生システムに備えられていた再生装置５０５とによって構成する。
【００２０】
そうすると、蓄積媒体０１（５０２）に含まれていた再生条件は変化していないので、属性ＡＡまたはＢＢに合致する属性を再生装置５０５の属性取得部５１１が取得していないと再生が許可されないが、コンテンツ再生システムＢ（５０１）に予め組み込まれていた再生装置５０５の属性取得部５１１が取得した属性情報は属性ＣＣなので、蓄積媒体０１（５０４）の条件蓄積部５１０に蓄積されていた再生条件によって許容されるものでなく、このコンテンツＣ１の再生は、コンテンツ再生システムＢ（５０１）においては許可されない。
【００２１】
しかし、図６に示すように、コンテンツ再生システムＡ（属性ＡＡを属性取得部６０８が取得している再生装置６０３を含むもの）（６００）の蓄積媒体０１（６０２）のコンテンツ蓄積部６０６に含まれているコンテンツと条件蓄積部６０７に蓄積されている再生条件が同じでも、コンテンツ再生システムＢ（６０１）の再生装置６０５の属性取得部６１１が取得した属性がＢＢである場合には、コンテンツ再生システムＢ（６０１）に移された蓄積媒体０１（６０４）の条件蓄積部６１０に蓄積されている再生条件により再生が許容される範囲なので、蓄積媒体０１（６０４）に含まれているコンテンツ蓄積部６０９のコンテンツＣ１の再生が可能となる。
【００２２】
以上では、コンテンツ再生システムの蓄積媒体を他のコンテンツ再生システムに移し替える場合について説明した。図７では、コンテンツの再生条件が時刻である場合について説明する。この例ではコンテンツ再生システム７００の蓄積媒体７０１は固定されたままで、コンテンツ蓄積部７０３にはＡという識別子で識別される料理番組が蓄積されている（７０５）。また、同じくこの蓄積媒体７０１には条件蓄積部７０４に再生条件として、Ａという識別子で識別される再生条件として時間帯が１５：００から１７：００という情報が蓄積されている（７０６）。一方、再生装置７０２の方は、再生部７０７、属性取得部７０８、条件取得部７０９、条件判断部７１１、再生制御部７１０からなり、条件取得部７０９は、蓄積媒体７０１から再生条件として識別子Ａで識別される条件７０６を取得する。この条件とは先ほど述べたとおり、再生の時間帯として１５：００から１７：００が許容時間であることを示す情報である。また、属性取得部７０８は属性情報として、現在時刻を１５：３０として取得する。これは、再生装置７０２に含まれている時計や、コンテンツ再生システム７００に対して受信システムから与えられる時間情報などに基づいて取得する。このコンテンツの再生条件と属性情報は条件判断部７１１に送られて、属性情報が再生条件により許容されるものか判断される。この例では、再生開始を許容する時間としての再生条件は、１５：００から１７：００であり、再生のために属性取得部７０８がえた現在時刻は１５：３０なので、再生条件を満たす。
【００２３】
したがって、条件判断部７１１は再生を許可し、再生制御部７１０に再生部７０７により蓄積媒体７０１に含まれているコンテンツ７０５である料理番組を再生するための命令を与える。この命令に基づいて、再生部７０７は料理番組の再生を行い、視聴者が料理番組を視聴することが可能となる。なお、料理番組を見るための一連の手続きは、このコンテンツを視聴したい視聴者がコンテンツ再生システム７００に対して再生の命令を与えて開始するものでも良いし、コンテンツ再生システム７００の蓄積媒体７０１にコンテンツ７０５と再生条件７０６が蓄積されたことにより自動的に開始されるものでも良い。後者の場合には、例えば、夕方の食事の準備をはじめる時間帯になると自動的にテレビに料理番組が放映されるというような利用が可能となり便利である。
【００２４】
（実施の形態２）次に、再生システムが蓄積媒体と、再生装置と、命令受付部とからなる発明の実施の形態について説明する。便宜上実施の形態２とする。この発明のコンテンツ再生システムは、図８に示す機能ブロックを有するものである。このコンテンツ再生システム８００は、蓄積媒体８０１と、命令受付部８１４と再生装置８０２とからなる。先に説明した実施の形態と異なる点は、コンテンツ再生システムに命令受付部８１４が付加されている点である。蓄積媒体８０１はコンテンツ蓄積部８０３と条件蓄積部８０４とからなり、コンテンツ蓄積部８０３には、コンテンツ８０５が蓄積されており、条件蓄積部８０４には再生条件８０６が蓄積されている。再生装置８０２は、条件取得部８０９、属性取得部８０８、条件判断部８１１、再生制御部８１０、再生部８０７からなる。実施の形態２に含まれるこれらの部分の基本的な働きは前述の発明の実施の形態１と同じである。相違点のみ強調して説明すると、命令受付部８１４は、コンテンツ８０５を再生する命令である再生命令８０６を受け付ける。再生命令８０６は、視聴者が入力するものであっても良いし、受信システムなどを通じて受け付けるものであっても良い。そして、属性取得部８０８、条件取得部８０９、条件判断部８１１は、この命令受付部８１４が命令を受け付けた場合に属性を取得し、条件を取得し、判断を行う。命令は、直ちにコンテンツ８０５の再生を開始するという要求であっても良いし、一定時間後にコンテンツ８０５を再生すると言う要求であってもよい。いずれにしても、命令受付部８１４がコンテンツ８０５を再生する命令である再生命令８０６を受け付けてから一連の条件判断に関しての処理がはじまる。そうすると命令に応じて処理を開始できるので便利である。
【００２５】
この発明の処理の流れの一例を示すのが、図９である。図９に示すように、命令の受付のための入力があるまで待機し（ステップＳ９０１）、入力があると命令の受付を行い（ステップＳ９０２）、ついで属性情報を取得する（ステップＳ９０３）。さらに再生条件を取得し（ステップＳ９０４）、属性情報が再生条件と合致するか判断する（ステップＳ９０５）。合致すると判断された場合にはコンテンツの再生が開始され（ステップＳ９０６）、属性情報が再生条件に合致しないと判断された場合には、コンテンツの再生を行わないで処理を終了する。
【００２６】
なお、この処理の流れを実行するハードウエアの構成は必ずしも図８に示したものにかぎられず、許容されうるすべての構成が採用できる。つまり再生命令の受付、属性情報の取得、再生条件の取得、属性情報が再生条件に合致するかの判断は、再生システムに具備している再生装置によって行っても良いし、蓄積媒体の機能によって行っても良いし、命令受付部の機能によって行っても良いし、これら以外の部分、ないしは、再生システム以外の受信システム、送信システム、その他で行っても良い。
【００２７】
（実施の形態３）さらに、実施の形態１または実施の形態２における属性情報が再生装置を識別する再生装置識別子である実施の形態３について説明する。この実施の形態も基本的に実施の形態１または実施の形態２で説明したコンテンツ再生装置と同じ構成をもっている。即ち、図１０に示すように、このコンテンツ再生システム１０００は、蓄積媒体１００１と再生装置１００２とから、または、図示しないがこれに加えて命令受付部とからなる。蓄積媒体１００１は、コンテンツ蓄積部１００３と条件蓄積部１００４とからなり、コンテンツ蓄積部１００３には、コンテンツ１０１０が蓄積されている。条件蓄積部１００４には再生条件が蓄積されており、再生条件がコンテンツの再生を許す再生装置の識別子である点に実施の形態１または実施の形態２との相違点がある。
【００２８】
そして、再生装置１００２は、再生部１００５、属性取得部１００６、条件取得部１００７、条件判断部１００９、再生制御部１００８とからなり、これらの基本的な機能も実施の形態１または実施の形態２と基本的に同じである。ただし、条件取得部１００７は、蓄積媒体１００１の条件蓄積部１００４から再生条件としてのコンテンツの再生を許す再生装置識別子１０１１を取得し、また、属性取得部１００６は属性情報として再生装置識別子１０１２を取得する。そして、条件判断部１００９では、属性情報によって得られた再生装置識別子がコンテンツの再生を許す再生装置識別子であるか判断する。その判断の結果、再生を許す識別子であれば再生制御部１００８に再生のための信号を送り、再生を許さない識別子であれば、再生制御部１００８には再生のために必要な信号を送らない。これにより、蓄積媒体１００１に蓄積されている再生条件によって、コンテンツ蓄積部１００３に蓄積されているコンテンツ１０１０の再生を制御することが可能となる。
【００２９】
再生装置識別子は、再生装置をユニークに識別するものであっても良いし、これとは別にあるいはユニークな識別番号ともに、図１１に示す他の情報を含むものであっても良い。例えば、その再生装置の所有者、許容される通信プロトコルの種類、再生装置の種類（例えば、ＤＶＤ再生装置、ＣＤ再生装置、ＲＡＭ再生装置など）、再生装置の設置場所、再生装置の製造年月日などの情報である。
【００３０】
（実施の形態４）つぎに、条件判断が時刻との関係で行われる場合について説明する。この発明の実施の形態の特徴点は、条件判断部が時計を保持し、情報属性が時刻であり、再生条件が情報属性である時刻がコンテンツの再生を許す時間帯または、時刻か否かを判断する点である。この発明の実施の形態４の機能ブロックを示すのが図１２である。
【００３１】
この図に示すように、コンテンツ再生システム１２００の基本的な機能構造は、実施の形態１または２に記載されたものと同じである。即ち、コンテンツ再生システム１２００は、蓄積媒体１２０１と、再生装置１２０２とからなり、蓄積媒体１２０１は、コンテンツ蓄積部１２０３と条件蓄積部１２０４とからなる。このコンテンツ蓄積部１２０３には、再生装置１２０２にて再生するためのコンテンツが蓄積されていて、条件蓄積部１２０４には、再生条件が蓄積されている。再生装置１２０２は、再生部１２０５、属性取得部１２０６、条件取得部１２０７、条件判断部１２０９、再生制御部１２０８からなる。条件判断部１２０９は時計を保持し、属性取得部１２０６で取得される属性情報は時刻であり、再生条件が属性情報である時刻がコンテンツの再生を許す時間帯または時刻か否かである点に特徴がある。条件判断部１２０９が時計を保持するとは、条件判断部１２０９そのものに時計を保持している場合と、時計自体は条件判断部１２０９内になくて、外部から時計の信号を受け取る場合の両者を含む趣旨である。例えば、コンテンツ再生システムがＢＧＭ（バックグラウンドミュージック）を流す機能を備えている場合に、クリスマス向けのＢＧＭはクリスマスが近づいてきたときにのみ流れるように条件蓄積部１２０４の再生条件に記録されていて、属性取得部１２０６で取得した時刻がクリスマスに近いこと、例えば、クリスマスの２週間前など、になったときにのみ、ＢＧＭとしてクリスマスソングを流すようにすることができるので便利である。
【００３２】
また、この時刻は、年、月、日、時、分、秒のすべてでもこれらの一部でも良く、また単なる時刻情報のみでなく、その年の春分の日など暦に関する情報を含むものでも良い。
【００３３】
（実施の形態５  その一）次に、これまで述べてきたコンテンツ再生システムのサブコンビネーションについても説明する。これを実施の形態５とする。実施の形態５は実施の形態１から４までのコンテンツ再生システムを構成する再生装置である。図１３のものは、実施の形態１の再生装置１３００に対応するものである。即ち、再生部１３０１と属性取得部１３０２と条件取得部１３０３と条件判断部１３０５と再生制御部１３０４とからなり、再生部１３０１はコンテンツを取得し、条件取得部１３０３は再生条件を取得し、この条件取得部１３０３が取得した再生条件と、属性取得部１３０２が取得した属性情報とで、条件判断部１３０５が判断を行う。
【００３４】
この判断は、属性情報が再生条件によって許容されるかどうかについての判断である。この条件判断部１３０５において属性情報が再生条件により許容されるものであると条件判断部１３０５から再生制御部１３０４に再生のための信号が送られ、再生部１３０１が取得したコンテンツが再生される。この実施の形態では、コンテンツと再生条件とを再生装置１３００が取得することで再生の判断のための処理をおこなうが、コンテンツと再生条件とは、必ずしも同じ蓄積媒体から取得するものでなくても良く、例えば、コンテンツは蓄積媒体から取得し、再生条件は受信システムから取得するような構成でも良い。
【００３５】
（実施の形態５  その二）次に、実施の形態２に対応する再生装置について説明する。この実施の形態の再生装置は、図１４に示す機能ブロックからなるもので、基本的に実施の形態５のその一のものと同じである。即ち、この再生装置１４００は、再生部１４０１、属性取得部１４０２、条件取得部１４０３、条件判断部１４０５、再生制御部１４０４からなる。そして、再生部１４０１はコンテンツを取得し、条件取得部１４０３は再生条件を取得する。この実施の形態の特徴点は、属性取得部１４０２における属性情報の取得、条件取得部１４０３における再生条件の取得が、命令を受けてから行われる点で、実施の形態５のその一のものは、命令の無い場合でも再生のための一連の処理が行われる構成となっている。
【００３６】
（実施の形態５  その三）つぎに実施の形態３に対応する再生装置について説明する。この実施の形態の再生装置は、図１５に示すものである。この再生装置１５００も基本的な構成は、実施の形態５のその一、その二と同じであり、再生部１５０１、属性取得部１５０２、条件取得部１５０３、再生制御部１５０４、条件判断部１５０５からなっている。再生部１５０１はコンテンツを取得してこれを再生し、条件取得部１５０３は再生条件を取得して、属性取得部１５０２が取得した属性情報とで条件判断部１５０５の判断のためにこれを渡す。この発明の実施の形態の特徴点は、再生条件がコンテンツの再生を許す再生装置識別子である点である。したがって、属性取得部１５０２で取得する属性情報も再生装置識別子である。この両方の識別子を条件判断部１５０５に与え、属性取得部１５０２で取得した属性情報である装置識別子が、再生条件により許容されるものか判断される。
【００３７】
（実施の形態５  その四）次に実施の形態４に対応する再生装置について説明する。この実施の形態は図１６に示すようなもので、基本的には実施の形態５のその一からその三に記載したものと同じである。この再生装置１６００も、再生部１６０１、属性取得部１６０２、条件取得部１６０３、再生制御部１６０４、条件判断部１６０５からなる。再生部１６０１はコンテンツを取得し、条件取得部１６０３は再生条件を取得する。この実施の形態の特徴点は、条件判断部１６０５で判断する再生条件が、コンテンツの再生を許す時間または時刻である点である。したがって、条件判断部１６０５が時計を保持しており、その時計に基づいて属性情報が作られ、条件取得部１６０３が取得した再生条件との合致が判断される。属性情報に含まれる時刻が再生条件を満たすものである場合には、条件判断部１６０５から再生制御部１６０４に再生のための信号が送られ、再生部１６０１においてコンテンツの再生が行われる。
【００３８】
（実施の形態６その一）つぎに、実施の形態１から実施の形態４までに記載したコンテンツ再生システムを構成する蓄積媒体の発明について説明する。この蓄積媒体は、図１７に示すようなもので、コンテンツ蓄積部１７０１と条件蓄積部１７０２とからなる。前述のように、蓄積媒体１７００は各種のものが許される。蓄積媒体１７００のコンテンツ蓄積部１７０１、条件蓄積部１７０２は、いわゆるディレクトリのようなものである。コンテンツを再生するための信号と、コンテンツの再生条件について規定する再生条件とが所定のディレクトリに記録されており、それぞれ必要に応じてコンピュータ読取可能に記録されている。
【００３９】
また、条件蓄積部１７０２に蓄積されている再生条件は、再生条件をこれ単独で記述しているもののみならず、ここに記述された再生条件と、例えば、再生装置に含まれている情報などを利用して条件判断ができるものの両方を含む趣旨である。コンテンツ蓄積部１７０１と条件蓄積部１７０２とは、必ずしも一つの媒体に一体的に記録されている必要はなく、関連付けられていれば同図ｂ）に示すように、二つ以上の媒体１７０３、１７０４に分けて記録されていても良い。また、二つ以上に分けて記録されている場合には、それら二つの媒体１７０３、１７０４が同種類の媒体である必要も無く、異なる種類の媒体に記述されているものであっても良い。これについては、この後に説明する実施の形態６のその二からその四までに共通である。
【００４０】
（実施の形態６  その二）実施の形態２では再生装置の命令受付部が再生命令を受け付けたときにのみ再生のための一連の処理が開始されるが、再生装置の命令受付部が再生命令を受け付けたときのみ再生条件を再生装置に読み込ませることができるようなプログラムや、その再生命令に基づいて再生装置からコンテンツの転送の要求があったときのみコンテンツを再生装置におくるためのプログラムなどを蓄積媒体にコンピュータ読取可能に記録しておいてもよい。
【００４１】
（実施の形態６  その三）実施の形態３のコンテンツ再生システムに対応する蓄積媒体について説明する。図１８にあるように、この蓄積媒体１８００は、コンテンツ蓄積部１８０１と条件蓄積部１８０２とからなり、条件蓄積部１８０２に蓄積されている再生条件は、コンテンツの再生を許す再生装置識別子を規定したものである。蓄積媒体１８００に蓄積されたコンテンツの再生を所定の装置にのみ限定することができる蓄積媒体が実現する。なお、コンテンツの再生に関して、再生装置の条件判断部でコンテンツの再生を許容する判断が出た場合に、蓄積媒体のコンテンツを読み取るための暗号が解除される再生装置にして、その暗号化したコンテンツを蓄積媒体１８００に記録しておいても良い。暗号化の構成については実施の形態６の全体にわたって共通である。
【００４２】
（実施の形態６  その四）実施の形態４のコンテンツ再生システムに対応する蓄積媒体について説明する。図１９にあるように、この蓄積媒体１９００は、コンテンツ蓄積部１９０１と条件蓄積部１９０２とからなり、条件蓄積部１９０２に蓄積される再生条件がコンテンツの再生を許す時間帯または時刻を規定するものである。なお、以上に述べた蓄積媒体１９００の条件蓄積部１９０２に蓄積される再生条件は、固定のものであっても良いし、受信システムなどを通して、定期的にまたは不定期に書き換えられるものであっても良い。
【００４３】
（実施の形態７  その一）次に、コンテンツとコンテンツを再生するための再生条件が蓄積された蓄積媒体を再生するコンテンツ再生方法について説明する。この発明の再生方法の処理の流れを示すのが図２０および図２１である。まず、図２０に示す再生方法について説明する。この処理の流れを示す図にあるように、コンテンツの再生のための入力があるまで待機し（ステップＳ２００１）、コンテンツの再生のための入力があると属性情報を取得し（ステップＳ２００２）、ついで、再生条件を取得し（ステップＳ２００３）、属性情報が再生条件に合致するか、即ち、属性情報が再生条件によって再生を許容されるものかどうかの判断を行う（ステップＳ２００４）。
【００４４】
判断の結果、再生を許容されるものである場合には、コンテンツを再生し（ステップＳ２００５）、再生を許容するものでない場合には処理を終了する。この発明では、属性情報の取得、再生条件の取得、属性情報が再生条件に合致するかの判断などは、必ずしも再生装置内で行う必要はなく、コンテンツ再生システム、受信システム、送信システム、その他の部分のどこで行っても良い。この点は、次に説明する実施の形態７のその二でも同様である。
【００４５】
（実施の形態７  その二）コンテンツを再生するための再生条件が蓄積された蓄積媒体を再生するコンテンツ再生方法の他の実施の形態を説明する。この発明の方法の処理の流れを示すのが図２１である。図２１にあるように、まず、コンテンツの再生のための入力があるまで待機し（ステップＳ２１０１）、入力があると属性情報を取得し（ステップＳ２１０２）、ついで再生条件を取得し（ステップＳ２１０３）、さらに属性情報が再生条件に合致するか判断される（ステップＳ２１０４）。判断の結果合致する場合には、コンテンツを再生し（ステップＳ２１０５）、合致しない場合には、再度判断するかを判定し（ステップＳ２１０６）、再度判断すると判定された場合には、再度属性情報の取得から処理を繰り返す。再度判断しないと判定された場合には、処理を終了する。この実施の形態の場合には、再度判断すると判定される場合には、繰り返し属性情報が再生条件に合致するか判断されつづけるので、属性情報が時間の経過とともに変化する可能性などがある場合には、その属性情報が再生条件に合致した時点でコンテンツの再生が直ちにできるというメリットがある。
【００４６】
（実施の形態８）なお、以上の処理をコンピュータに行わせるためのプログラムをコンピュータ読取可能な記録媒体に記録しておくと便利である。この実施の形態は、コンテンツとコンテンツを再生する条件である再生条件が蓄積された蓄積媒体を再生するための記録媒体であって、属性情報を取得する手順と、再生条件を取得する手順と、前記属性情報を取得する手順で取得した属性情報が前記再生条件を取得する手順で取得した再生条件に合致するか否かを判断する条件判断手順と、前記条件判断ステップで属性情報が再生条件に合致すると判断された場合に、コンテンツを再生する手順とを実行するためのプログラムをコンピュータ読み取り可能に記録した記録媒体である。記録媒体の種類は可搬性のものであるか、固定のものであるか、再生専用のものか、書き換え可能なものか、磁気記録のものか、光磁気記録のものかなど問わない。また、この記録媒体は、通信によりコンピュータの蓄積媒体に記録されるものも含む趣旨である。
【００４７】
（実施の形態９）上記には、再生装置が取得する属性情報に応じてコンテンツの再生を可能とする実施の形態について説明してきたが、ここからは、属性情報に応じて課金の多様化を可能とする実施の形態について説明する。図２４に示すのは、この発明の機能ブロック図である。このコンテンツ再生システム２４００は、蓄積媒体２４０１と再生装置２４０２とからなり、蓄積媒体２４０１はコンテンツ蓄積部２４０３、課金料蓄積部２４０４からなり、再生装置２４０２は、再生部２４０５、属性取得部２４０６、課金料算出情報取得部２４０７、課金料算出部２４０８からなる。
【００４８】
図２２に記載するものは、この発明の実施の形態をさらに具体的に示す機能ブロックである。蓄積媒体２２０１のコンテンツ蓄積部２２０３には、コンテンツが蓄積されており、課金料蓄積部２２０４には課金料算出情報が蓄積されている。例えば、この図に示す例においては、コンテンツとして識別子Ｃで識別される映画が蓄積されており、課金料算出情報としては識別子Ｃで識別されるコンテンツの再生について、日本語再生の場合には基本料金１００円、字幕再生の場合には基本料金２００円、コンテンツの再生時間は２時間という情報が記録されている。再生装置２２０２の課金料算出情報取得部２２０７においては、上記蓄積媒体２２０１に蓄積された課金料算出情報が取得される。また、再生装置２２０２の属性取得では、再生属性情報として日本語再生が取得される。日本語再生とは、再生部２２０５がこのコンテンツである映画を日本語で再生することをいう。再生属性情報とは、コンテンツの属性以外の再生の属性をいう。
【００４９】
例えば、再生装置識別子、再生装置の種類、時刻、時間帯などである。属性取得部２２０６で取得された再生属性情報と、課金料算出情報取得部２２０７で取得された課金料算出情報とは、課金料算出部２２０８に送られて課金料の算出に利用される。例えば、課金料の算出式がこの図にあるように、基本料金＋再生時間×１００円である場合には、基本料金が日本語再生という再生属性情報に基づいて１００円となり、再生時間は２時間であるので、１００円＋２時間×１００円＝３００円となる。具体的に再生属性情報としては図２３に示すようなものが考えられる。再生装置識別子として、例えば全世界的に再生装置を一に特定するためのユニークな識別番号や、再生装置の種類を識別するためのものでデジタルテレビ、ハイビジョンテレビなどと識別するためのものや、時刻、時間帯、画像再生方法、音声再生方法、その他の付加機能の利用を識別するためのものなどである。
【００５０】
この発明により、コンテンツの内容などの属性でなく、コンテンツを再生する際に付加される種々のサービスに応じて多様に料金を定められるので、サービスの多様化に応じた多様な課金ができて便利である。例えば、再生属性の示す再生の時間帯が早朝なのか、ゴールデンタイムなのかで課金料に差を設けることができる。また、再生の言語によっても課金料に差を設けたり、映像に現われた商品の解説などの付加的サービスに応じても課金料の差を設けることができる。
【００５１】
（実施の形態１０）次に、実施の形態９の発明にさらにコンテンツを再生する命令である再生命令を受ける命令受付部を有するコンテンツ再生システムについて説明する。この発明の実施の形態のコンテンツ再生システムの機能ブロックを示すのが図２５である。この図に示すように、このコンテンツ再生システム２５００は、蓄積媒体２５０１と、再生装置２５０２と、命令受付部２５０３とからなる。蓄積媒体２５０１には、コンテンツ蓄積部２５０４と課金料蓄積部２５０５とがある。
【００５２】
再生装置２５０２には、再生部２５０６、属性取得部２５０７、課金料算出情報取得部２５０８、課金料算出部２５０９がある。実施の形態１０と異なる点は、命令受付部２５０３を有し、この命令受付部２５０３がコンテンツを再生する命令である再生命令を受け付ける。この再生命令は、コンテンツ視聴者が命令受付部２５０３に入力するものであっても良いし、受信システムなどを通じて入力されるものであっても良い。この命令受付部２５０３に命令が受け付けられると、再生部２５０６がコンテンツを再生し、課金料算出部２５０９が課金料を算出する。この課金料の算出結果は、送信システムなどを通じて課金センターのようなところに送信されても良いし、課金センターのようなところからの要求に応じて課金料の算出結果を送信しても良い。なお、課金料の算出は、金額まで算出するものの他、金額までは算出しないが、算出の途中までの計算を行った結果を出すものでも良い。
【００５３】
図２６はこの実施の実施の形態の処理の流れを示すものである。まず、再生命令があるまで待機し（ステップＳ２６０１）、再生命令があると、コンテンツを再生し（ステップＳ２６０２）、再生属性情報を取得し（ステップＳ２６０３）、ついで、課金料算出情報を取得し（ステップＳ２６０４）、再生属性情報と課金料算出情報から課金料を算出する（ステップＳ２６０５）。この発明のように再生命令を受けてから課金料を算出するようにすると、再生命令に応じた課金料算出情報を課金料の算出に利用できるのでサービスの多様化に対する課金料算出の多様化が可能となって便利である。例えば、再生命令の受付の時間帯に応じて課金料算出情報を選ぶことなどが可能となる。
【００５４】
（実施の形態１１  その一  その二）つぎに、実施の形態９、実施の形態１０の再生属性情報が再生装置の属性情報である場合について説明する。この発明の実施の形態を示すのが図２７および図２８である。実施の形態１０に示したコンテンツ再生システムの再生属性情報が再生装置の属性情報である場合を示す図２７を見れば解るように、このコンテンツ再生システム２７００は、蓄積媒体２７０１と再生装置２７０２とからなり、蓄積媒体２７０１はコンテンツ蓄積部２７０３と課金料蓄積部２７０４とからなる。また、再生装置２７０２は、再生部２７０５、属性取得部２７０６、課金料算出情報取得部２７０７、課金料算出部２７０８とからなる。この図に示すように、属性取得部２７０６によって取得されるが、再生属性情報が再生装置２７０２の属性情報である点に特徴がある。
【００５５】
この再生属性情報である再生装置２７０２の属性情報は、図２９に示すようなものである。例えば再生装置の種類、画面サイズ、設置場所、機能などであり、場合によっては、その再生装置のメーカー、再生装置に部品を供給しているメーカーなどである。
【００５６】
例えば、再生装置に部品を供給しているメーカーのスポンサーである番組は、そのメーカーの部品が組み込まれている再生装置では安い料金で視聴できるようにすることができるなど便利である。図２８に示すのは、実施の形態１０の再生属性情報が再生装置２８０２の属性情報であるコンテンツ再生システム２８００を示すものである。コンテンツ蓄積部２８０３に蓄積されているコンテンツが再生部２８０５に送られて再生される点などは共通するが、実施の形態１１のその一との相違点は、コンテンツ再生システム２８００が、蓄積媒体２８０１、再生装置２８０２のほかに命令受付部２８０９を備えている点である。この命令受付部２８０９は再生命令を受け付け、再生装置２８０２に信号を送ることで、再生装置２８０２の属性取得部２８０６に再生属性情報である再生装置２８０２の属性情報を取得させ、課金料算出情報取得部２８０７に蓄積媒体２８０１から課金料算出情報を取得させ、これら再生属性情報と、課金料算出情報とで課金料算出部２８０８において課金料を算出させる。
【００５７】
この実施の形態では、再生命令によって課金処理のための一連の処理が行われるので、たとえば、再生装置の属性情報が飲食店内に設置された再生装置であることを示す場合には、再生命令の受付時間が飲食時間帯に課金料算出情報を課金料が高額になるように、そうでない時間帯に低額に設定することなどが可能となって便利である。
【００５８】
（実施の形態１２  その一からその四）次に、実施の形態９から１１のコンテンツ再生システムの再生装置について説明する。図３０、図３１に示すのは、それぞれ実施の形態９および１０に示すコンテンツ再生システムの再生装置である（実施の形態１２  その一、その二）。図３０に示すように、このコンテンツ再生システムの再生装置３０００は、再生部３００１、属性取得部３００２、課金料算出情報取得部３００３、課金料算出部３００４からなる。再生部３００１はコンテンツを取得し、これを再生し、課金料算出情報取得部３００３は課金料算出情報を取得する。コンテンツと課金料算出情報とは同じ蓄積媒体に蓄積されていても、異なる蓄積媒体に蓄積されていても良く、両者に関連付けが行われていれば良い。
【００５９】
例えば、いずれか一方を通信により取得し、他方をＣＤによって取得することもできる。属性取得部３００２が再生属性情報を取得し、課金料算出情報取得部３００３が課金料算出情報を取得し、これを課金料算出部３００４に渡して課金料の算出を行う点については、実施の形態９と同様である。
【００６０】
図３１に示すのは、実施の形態１０の再生装置３１００を示すものである。この実施の形態１２のその二で実施の形態１２その一と異なる点は、課金料算出情報取得部３１０３が再生命令を受けてから一連の課金料の算出が行われる点である。再生装置３１００が、再生部３１０１、属性取得部３１０２、課金料算出情報取得部３１０３、課金料算出部３１０４からなる点、および処理が開始されてからの手順は実施の形態１２のその一と同じである。
【００６１】
次に図３２、図３３に示すのは実施の形態１１に示すコンテンツ再生システムの再生装置を示す図である。図３２に示すものと図３３に示すものとの相違点は、図３２に示すものが再生命令を受け付ける処理を必ずしも必要としないのに対し、図３３に示すものは再生命令を受け付けた後に課金料算出の処理をする構成となっている点のみである。図３２に示す再生装置３２００も、図３３に示す再生装置３３００もともに再生部３２０１、３３０１、属性取得部３２０２、３３０２、課金料算出情報取得部３２０３、３３０３、課金料算出部３２０４、３３０４とからなっている。再生部３２０１、３３０１はコンテンツを取得して、これを再生し、属性取得部３２０２、３３０２は再生属性情報として再生装置３２００、３３００の属性情報を取得し、課金料算出情報取得部３２０３、３３０３は課金料算出情報を取得し、これらが取得した再生属性情報と課金料算出情報とを課金料算出部３２０４、３３０４に渡して、課金料の算出を行う。
【００６２】
（実施の形態１３）次に、実施の形態９から１１に示すコンテンツ再生システムの蓄積媒体について説明する。この蓄積媒体は図３４に示すもので、コンテンツ蓄積部３４０１と課金料蓄積部３４０２とからなり、コンテンツ蓄積部３４０１にはコンテンツが蓄積されており、課金料蓄積部３４０２には課金料算出情報が蓄積されている。課金料算出情報は、課金料を算出するためのただ一つの算出式などの算出情報を格納しているものであっても良いし、複数の算出式などの算出情報を格納していて、再生装置で適宜算出式を選択するような構成にするものであっても良い。またこれらの情報は、コンテンツ再生システムに当初から記憶されている情報であっても良いし、受信システムなどを通じて受信することでコンテンツ再生システムに取込まれ、蓄積媒体３４００に記録されたものでも良い。受信システムなどを通じてコンテンツ再生システムに取込み、蓄積媒体３４００に記録するようにすると、課金料算出情報を諸般の事情で変更したいときなどに便利である。
【００６３】
（実施の形態１４）次に、コンテンツを蓄積するコンテンツ蓄積部と、コンテンツを再生する場合の再生についての属性情報である再生属性情報に対する課金料を算出するための情報である課金料算出情報を蓄積する課金料蓄積部とを有する蓄積媒体の再生方法について説明する。この発明は、図３５に示すような処理をおこなう。まず、コンテンツの再生のための入力があるまで待機し（ステップＳ３５０１）、入力があると、コンテンツを再生し（ステップＳ３５０２）、ついで、再生属性情報を取得する（ステップＳ３５０３）。そして、課金料算出情報を取得し（ステップＳ３５０４）、取得した再生属性情報と課金料算出情報から課金料を算出する（ステップＳ３５０５）。これらの処理は必ずしも前述のコンテンツ再生装置の内部のみで行う必要はなく、受信システム、送信システム、その他の部分で行うことができる。
【００６４】
（実施の形態１５）また、コンテンツを蓄積するコンテンツ蓄積部と、コンテンツを再生する場合の再生についての属性情報である再生属性情報に対する課金料を算出するための情報である課金料算出情報を蓄積する課金料蓄積部と、を有する蓄積媒体の再生をするための記録媒体であって、前記コンテンツ蓄積部に蓄積されているコンテンツを再生する手順と、再生属性情報を取得する手順と、前記課金料蓄積部に蓄積されている課金料算出情報を取得する手順と、再生属性情報を取得するステップにおいて取得した再生属性情報と課金料算出情報を取得するステップにおいて取得した課金料算出情報から課金料を算出する手順とを実行させるためのプログラムをコンピュータ読取可能に記録した記録媒体を利用すると便利である。
【図面の簡単な説明】
【００６５】
【図１】実施の形態１のコンテンツ再生システムの機能ブロック図
【図２】コンテンツ再生システムを含むシステムの全体概念図
【図３】本発明のコンテンツ再生システムの利用形態を示す概念図
【図４】実施の形態１の属性取得部の機能ブロック図
【図５】蓄積媒体を異なるコンテンツ再生システム間で間で移し替えた場合を説明する図
【図６】蓄積媒体を異なるコンテンツ再生システム間で間で移し替えた場合を説明する図
【図７】実施の形態１のコンテンツ再生システムの機能ブロック図
【図８】実施の形態２のコンテンツ再生システムの機能ブロック図
【図９】本発明の処理の流れを示すフローチャート
【図１０】実施の形態３のコンテンツ再生システムの機能ブロック図
【図１１】再生装置識別子に含まれる情報の例を示す図
【図１２】実施の形態４のコンテンツ再生システムの機能ブロック図
【図１３】実施の形態５の再生装置の機能ブロック図
【図１４】実施の形態５の再生装置の機能ブロック図
【図１５】実施の形態５の再生装置の機能ブロック図
【図１６】実施の形態５の再生装置の機能ブロック図
【図１７】実施の形態６の蓄積媒体の機能ブロック図
【図１８】実施の形態６の蓄積媒体の機能ブロック図
【図１９】実施の形態６の蓄積媒体の機能ブロック図
【図２０】本発明の処理の流れを示すフローチャート
【図２１】本発明の処理の流れを示すフローチャート
【図２２】実施の形態９のコンテンツ再生システムの機能ブロック図
【図２３】再生属性情報を示す図
【図２４】実施の形態９のコンテンツ再生システムの機能ブロック図
【図２５】実施の形態１０のコンテンツ再生システムの機能ブロック図
【図２６】本発明の処理の流れを示すフローチャート
【図２７】実施の形態１１のコンテンツ再生システムの機能ブロック図
【図２８】実施の形態１１のコンテンツ再生システムの機能ブロック図
【図２９】再生属性情報、再生装置の属性情報を示す図
【図３０】実施の形態１２の再生装置の機能ブロック図
【図３１】実施の形態１２の再生装置の機能ブロック図
【図３２】実施の形態１２の再生装置の機能ブロック図
【図３３】実施の形態１２の再生装置の機能ブロック図
【図３４】実施の形態１３の蓄積媒体の機能ブロック図
【図３５】本発明の処理の流れを示すフローチャート
【符号の説明】
【００６６】
１００  コンテンツ再生システム
１０１  蓄積媒体
１０２  再生装置
１０３  コンテンツ蓄積部
１０４  条件蓄積部
１０５  再生部
１０６  属性取得部
１０７  条件取得部
１０８  再生制御部
１０９  条件判断部
【図１】
2005018980.tif 000003
【図２】
2005018980.tif 000004
【図３】
2005018980.tif 000005
【図４】
2005018980.tif 000006
【図５】
2005018980.tif 000007
【図６】
2005018980.tif 000008
【図７】
2005018980.tif 000009
【図８】
2005018980.tif 000010
【図９】
2005018980.tif 000011
【図１０】
2005018980.tif 000012
【図１１】
2005018980.tif 000013
【図１２】
2005018980.tif 000014
【図１３】
2005018980.tif 000015
【図１４】
2005018980.tif 000016
【図１５】
2005018980.tif 000017
【図１６】
2005018980.tif 000018
【図１７】
2005018980.tif 000019
【図１８】
2005018980.tif 000020
【図１９】
2005018980.tif 000021
【図２０】
2005018980.tif 000022
【図２１】
2005018980.tif 000023
【図２２】
2005018980.tif 000024
【図２３】
2005018980.tif 000025
【図２４】
2005018980.tif 000026
【図２５】
2005018980.tif 000027
【図２６】
2005018980.tif 000028
【図２７】
2005018980.tif 000029
【図２８】
2005018980.tif 000030
【図２９】
2005018980.tif 000031
【図３０】
2005018980.tif 000032
【図３１】
2005018980.tif 000033
【図３２】
2005018980.tif 000034
【図３３】
2005018980.tif 000035
【図３４】
2005018980.tif 000036
【図３５】
2005018980.tif 000037